(57)【要約】【課題】手摺の取り付けを簡単にかつ正確に行うことができる手摺ブラケットを提供することである。【解決手段】壁面に取付けられる取付座２１と、この取付座２１から立設されたアーム部２２と、このアーム部２２の先端に設けられた手摺取付部２３とを備えた手摺ブラケット２０であって、前記取付座２１の底面には凹部３０が形成されており、この凹部３０内にブラケット位置決め用先尖り部材であるピン１０の後部が着脱自在に嵌入され、ピン１０の先端が取付座２１の底面から突出しているように構成した。【選択図】図１
2008291609.tif 000002
【特許請求の範囲】
【請求項１】
壁面に取付けられる取付座と、この取付座から立設されたアーム部と、このアーム部の先端に設けられた手摺取付部とを備えた手摺ブラケットであって、
前記取付座の底面には凹部が形成されており、この凹部内にブラケット位置決め用先尖り部材の後部が着脱自在に嵌入され、前記先尖り部材の先端が取付座の底面から突出していることを特徴とする手摺ブラケット。
【請求項２】
前記先尖り部材がピンである請求項１記載の手摺ブラケット。
【請求項３】
前記ピンが、互いに離隔した少なくとも２本のピンからなる請求項２記載の手摺ブラケット。
【請求項４】
前記２本のピンは、それぞれ長さが異なる請求項３記載の手摺ブラケット。
【請求項５】
前記ピンが、該ピンを保持する保持部材に保持されており、前記凹部が、前記保持部材を収容する凹部である請求項２〜４のいずれかに記載の手摺ブラケット。
【請求項６】
前記保持部材の外面および凹部の内面のいずれか一方に、ピン嵌入方向に沿って溝部が形成されており、他方に、前記溝部にスライド自在に係合する突条が形成されている請求項５記載の手摺ブラケット。
【請求項７】
前記溝部および突条の少なくとも一方が、前記凹部の入口から凹部内に進むに従って嵌入がきつくなるようにテーパ状に構成されている請求項６記載の手摺ブラケット。
【請求項８】
前記保持部材は、前記凹部に嵌入する先端周縁部が曲面状に構成されている請求項５〜７のいずれかに記載の手摺ブラケット。
【請求項９】
前記手摺取付部の手摺取付面に、手摺を仮固定するための仮固定手段を設けた請求項１〜８のいずれかに記載の手摺ブラケット。
【請求項１０】
壁面に取付けられる取付座と、この取付座から立設されたアーム部と、このアーム部の先端に設けられた手摺取付部とを備えた手摺ブラケットであって、
前記取付座の底面からブラケット位置決め用先尖り部材が突設されていることを特徴とする手摺ブラケット。
【請求項１１】
手摺ブラケットの取付座底面を壁面の所定位置に押し付けて、取付座底面から突出した先尖り部材を壁面内に刺し込んで仮固定し、この状態でブラケットを壁面にネジ止め固定することを特徴とする手摺ブラケットの取付方法。
【請求項１２】
手摺ブラケットの取付座底面を壁面の所定位置に押し付けて、取付座底面から突出した先尖り部材を壁面内に刺し込み、ついで先尖り部材を壁面に残したままブラケットを壁面から離し、壁紙を前記壁面に貼り付けて前記先尖り部材を壁紙から露出させ、この先尖り部材を目印にして再びブラケットを壁面に当接させ、取付座底面の凹部内に先尖り部材の後部を嵌入してブラケットを取付けることを特徴とする手摺ブラケットの取付方法。
【請求項１３】
請求項１〜１０のいずれかに記載の１つの手摺ブラケットと、これに付随する壁面固定ネジおよび手摺固定ネジを含む付属部品とを収容する手摺ブラケット収納容器であって、
この収容容器の一端には、前記ブラケットのアーム部に掛止するためのフック部が形成されていることを特徴とする手摺ブラケット収納容器。
【請求項１４】
壁面に仮固定されたブラケットのアーム部に掛止される請求項１３記載の手摺ブラケット収納容器。
【発明の詳細な説明】
【技術分野】
【０００１】
本発明は、建物の階段や廊下等の壁面に手摺を取り付けるための手摺ブラケットに関する。
【背景技術】
【０００２】
手摺りを壁面に取り付けるには、一般にブラケットが使用される。すなわち、ブラケットは基部が壁面にネジ止め等により固定され、ブラケット先端の手摺取付部に手摺が取り付けられる。
【０００３】
ブラケットの固定は、通常、ブラケットを手で持って、これを片手で押さえてネジ止め固定するが、この状態でブラケットを正確に固定することは困難であり、特に、階段等のようにブラケットを傾斜して取り付ける場合に顕著である。
【０００４】
また、手摺の取り付け作業では、通常、クロス等の壁紙を貼る前の壁面に手摺を取り付け、ついで手摺を取り外して壁紙を貼りつけ、再び手摺を壁面に取り付けるという作業を要する。これは、壁面施工および手摺の取り付けを行う作業者と、壁紙を貼る作業者とが異なり、これらの作業者の作業日が異なるためである。
【０００５】
そのため、壁紙施工後に再び手摺をブラケットと共に壁面に取り付ける際には、簡単にかつ確実にもとの位置に手摺を取り付けられることが必要になる。例えば特許文献１には、位置決め部材が壁材に取り付けられ、この位置決め部材が露出するように壁材に壁紙が貼り付けられており、この位置決め部材に手摺ブラケットが取り付けられている。
【０００６】
しかしながら、特許文献１に記載の手摺ブラケット取付構造では、予め、位置決め部材を壁材に取り付ける必要があり、必ずしも簡単に手摺の取り付けを行うことができない。
【特許文献１】特開２００２−８１１８３号公報
【発明の開示】
【発明が解決しようとする課題】
【０００７】
本発明の課題は、手摺の取り付けを簡単にかつ正確に行うことができる手摺ブラケットを提供することである。
【課題を解決するための手段】
【０００８】
上記課題を解決するための本発明の手摺ブラケットは、以下の構成からなる。
（１）壁面に取付けられる取付座と、この取付座から立設されたアーム部と、このアーム部の先端に設けられた手摺取付部とを備えた手摺ブラケットであって、前記取付座の底面には凹部が形成されており、この凹部内にブラケット位置決め用先尖り部材の後部が着脱自在に嵌入され、前記先尖り部材の先端が取付座の底面から突出していることを特徴とする手摺ブラケット。
（２）前記先尖り部材がピンである前記（１）記載の手摺ブラケット。
（３）前記ピンが、互いに離隔した少なくとも２本のピンからなる前記（２）記載の手摺ブラケット。
（４）前記２本のピンは、それぞれ長さが異なる前記（３）記載の手摺ブラケット。
（５）前記ピンが、該ピンを保持する保持部材に保持されており、前記凹部が、前記保持部材を収容する凹部である前記（２）〜（４）のいずれかに記載の手摺ブラケット。
（６）前記保持部材の外面および凹部の内面のいずれか一方に、ピン嵌入方向に沿って溝部が形成されており、他方に、前記溝部にスライド自在に係合する突条が形成されている前記（５）記載の手摺ブラケット。
（７）前記溝部および突条の少なくとも一方が、前記凹部の入口から凹部内に進むに従って嵌入がきつくなるようにテーパ状に構成されている前記（６）記載の手摺ブラケット。
（８）前記保持部材は、前記凹部に嵌入する先端周縁部が曲面状に構成されている前記（５）〜（７）のいずれかに記載の手摺ブラケット。
（９）前記手摺取付部の手摺取付面に、手摺を仮固定するための仮固定手段を設けた前記（１）〜（８）のいずれかに記載の手摺ブラケット。
【０００９】
本発明の他の手摺ブラケットは、壁面に取付けられる取付座と、この取付座から立設されたアーム部と、このアーム部の先端に設けられた手摺取付部とを備えた手摺ブラケットであって、前記取付座の底面からブラケット位置決め用先尖り部材が突設されていることを特徴とする。
【００１０】
本発明の手摺ブラケットの取付方法は、手摺ブラケットの取付座底面を壁面の所定位置に押し付けて、取付座底面から突出した先尖り部材を壁面内に刺し込んで仮固定し、この状態でブラケットを壁面にネジ止め固定することを特徴とする。
本発明の他の手摺ブラケットの取付方法は、手摺ブラケットの取付座底面を壁面の所定位置に押し付けて、取付座底面から突出した先尖り部材を壁面内に刺し込み、ついで先尖り部材を壁面に残したままブラケットを壁面から離し、壁紙を前記壁面に貼り付けて前記先尖り部材を壁紙から露出させ、この先尖り部材を目印にして再びブラケットを壁面に当接させ、取付座底面の凹部内に先尖り部材の後部を嵌入してブラケットを取付けることを特徴とする。
【００１１】
本発明の手摺ブラケット収納容器は、前記した１つの手摺ブラケットと、これに付随する壁面固定ネジおよび手摺固定ネジを含む付属部品とを収容するものであって、この収容容器の一端には、前記ブラケットのアーム部に掛止するためのフック部が形成されていることを特徴とする。
前記手摺ブラケット収納容器は、壁面に仮固定されたブラケットのアーム部に掛止されるのが好ましい。
【発明の効果】
【００１２】
本発明の手摺ブラケットによれば、手摺ブラケットの取付座底面に凹部を形成し、この凹部内にブラケット位置決め用先尖り部材の後部を着脱自在に嵌入し、前記先尖り部材の先端が取付座底面から突出するようにした。これにより、先尖り部材の後部が前記凹部内に嵌入された状態でブラケットを壁面に押し付けると、先尖り部材が壁面に突き刺さりブラケットが壁面に仮固定されるので、ブラケットを手で押さえる必要がなく、ブラケットの壁面へのネジ固定を安定した状態で行うことができる。また、壁紙を貼りつける作業前に手摺を取り外しても、壁面に先尖り部材が残るので、壁紙を貼った後の手摺の再取付を前記先尖り部材に基づいて行うことができ、したがって再取付を簡単にかつ正確に行うことができる。
【００１３】
特に、前記（３），（４）によれば、先尖り部材であるピンが互いに離隔した少なくとも２本のピンからなり、それぞれ長さが異なるようにしたので、壁面にブラケットを仮固定した際には、ブラケットが回転するのを防ぐことができる。したがって、階段等のようにブラケットを傾斜して取り付けるような場合に好適である。
前記（５）によれば、ピンを保持部材に保持し、前記凹部を、前記保持部材を収容する凹部に構成したので、ピンの嵌入状態を安定させることができる。
前記（６）によれば、保持部材の外面および凹部の内面のいずれか一方に、ピン嵌入方向に沿って溝部を形成し、他方に、前記溝部にスライド自在に係合する突条を形成するので、保持部材を凹部に収容する際には、溝部に突条をスライドさせながら収容することができ、収容が簡単になる。
前記（７）によれば、溝部および突条の少なくとも一方を、凹部の入口から凹部内に進むに従って嵌入がきつくなるようにテーパ状に構成したので、ピンの嵌入状態を安定させることができる。
前記（８）によれば、保持部材の凹部に嵌入する先端周縁部を曲面状に構成したので、保持部材を凹部に収容する際には、保持部材がスムーズに凹部内に案内される。
前記（９）によれば、手摺取付部の手摺取付面に、手摺を仮固定するための仮固定手段を設けたので、手摺を手摺取付面に仮固定することができ、これにより手摺のネジ止め固定を簡単に行うことができる。
【００１４】
本発明の他の手摺ブラケットによれば、取付座底面から先尖り部材を突設したので、ブラケットを壁面に押し付けると、先尖り部材が壁面に突き刺さり、ブラケットを壁面に仮固定することができる。
【００１５】
本発明の手摺ブラケットの取付方法によれば、ブラケットを壁面に仮固定した状態でネジ止め固定するので、ブラケットの取り付けを簡単にかつ正確に行うことができる
本発明の他の手摺ブラケットの取付方法によれば、ブラケットを仮固定した後、先尖り部材を壁面に残したままブラケットを壁面から離し、壁紙を前記壁面に貼り付けて前記先尖り部材を壁紙から露出させ、この先尖り部材を目印にして再びブラケットを壁面に取付けるので、再取付を簡単にかつ正確に行うことができる。
【００１６】
本発明の手摺ブラケット収納容器によれば、収容容器の一端にアーム部に掛止するためのフック部を形成したので、ブラケットを仮固定している間は使用しない付属部品を該収納容器に収納し、フック部をブラケットのアーム部に掛止させた状態で前記部品を保管して、該部品が紛失するのを防ぐことができる。
【発明を実施するための最良の形態】
【００１７】
以下、本発明にかかる手摺ブラケットの一実施形態について図面を参照して詳細に説明する。図１は、本実施形態にかかる手摺ブラケットを示す概略説明図である。図２（ａ）は、本実施形態にかかる手摺ブラケットの仮固定状態を示す側面図であり、図２（ｂ）は、本実施形態にかかる手摺ブラケットを示す背面図である。図３（ａ）〜（ｄ）は、それぞれ本実施形態にかかる手摺ブラケットを示す側面図、正面図、背面図および平面図である。図４は、本実施形態にかかる手摺ブラケットを示す縦断面図である。図５は、図３（ａ）のI−I線断面図である。図６は、本実施形態にかかる手摺を仮固定するための仮固定手段を示す概略説明図である。図７（ａ）〜（ｅ）は、それぞれ本実施形態にかかるピンを示す側面図、正面図、背面図、平面図および斜視図である。
【００１８】
図１に示すように、本実施形態に係る手摺ブラケットは、手摺ブラケット２０と、ピン１０とからなる。ブラケット２０は、図２（ａ），（ｂ），図３（ａ）〜（ｄ），図４および図５に示すように、壁面１００に取付けられる取付座２１と、この取付座２１からに立設されたアーム部２２と、このアーム部２２の先端に設けられた手摺取付部２３とで構成され、これらが一体に形成されている。取付座２１には、ブラケット２０を壁面１００に固定する壁面固定ネジを挿通するためのネジ挿通孔２１ａ，２１ｂ，２１ｃ，２１ｄが形成されている。手摺取付部２３には、手摺１０１を該手摺取付部２３に固定する手摺固定ネジを挿通するためのネジ挿通孔２３ａ，２３ｂが形成されている。
【００１９】
ここで、取付座２１の底面には、アーム部２２内部の空洞を利用して凹部３０が形成されており、この凹部３０内にブラケット位置決め用先尖り部材であるピン１０の後部が着脱自在に嵌入され、ピン１０の先端が取付座２１の底面から突出している。これにより、ピン１０の後部が凹部３０内に嵌入された状態でブラケット２０を壁面１００に押し付けると、ピン１０が壁面１００に突き刺さりブラケット２０が壁面１００に仮固定される。
【００２０】
ピン１０は、図７（ａ）〜（ｅ）に示すように、互いに離隔した２本のピン１ａ，１ｂからなる。これにより、壁面１００にブラケット２０を仮固定した際には、ブラケット２０が回転するのを防ぐことができる。
【００２１】
さらに、ピン１ａ，１ｂは、それぞれ長さが異なるように構成されている。ここで、壁面１００は、通常、石膏ボード１００ａ，合板１００ｂからなるが、ピン１ａ，１ｂのうち、ピン１ａは石膏ボード１００ｂに達する長さに、ピン１ｂは石膏ボード１００ａに達する長さにそれぞれ構成されている（図２（ａ）参照）。これに対し、ピン１ａ，１ｂの長さがいずれも合板１００ｂに達する長さに構成されていると、ピン１０が壁面１００に突き刺さり難くなり、ピン１ａ，１ｂの長さがいずれも石膏ボード１００ａに達する長さに構成されていると、ブラケット２０の仮固定状態が不安定になるおそれがある。
【００２２】
特に、本実施形態では、ピン１０が、該ピン１０を保持する保持部材３に一体に保持されており、凹部３０が、保持部材３を収容する凹部に構成されている。これにより、ピン１０の嵌入状態を安定させることができる。前記保持部材３を構成する材料としては、特に限定されるものではなく、例えばアクリル樹脂等の樹脂、ステンレス鋼等の金属、木等の木質材料等が挙げられる。
【００２３】
また、図７に示すように、保持部材３の外面には、ピン嵌入方向（矢印Ａ方向）に沿って溝部４が形成されており、図３（ｃ），図４および図５に示すように、取付座２１の凹部３０の内面には、溝部４にスライド自在に係合する突条３１が形成されている。これにより、保持部材３を凹部３０に収容する際には、溝部４を突条３１にスライドさせながら収容することができるので、収容が簡単になる。
【００２４】
さらに、図４に示すように、突条３１が、凹部３０の入口から凹部３０内に進むに従って嵌入がきつくなるようにテーパ状に構成されている。これにより、保持部材３を凹部３０に押し込むようにして収容すると、保持部材３の溝部４がテーパ状に構成された凹部３０の突条３１によって押し広げられるので、ピン１０の嵌入状態が安定する。
【００２５】
保持部材３は、凹部３０に嵌入する先端５周縁部が曲面状に構成されている。これにより、保持部材３を取付座２１の凹部３０に収容する際には、保持部材３がスムーズに凹部３０内に案内される。
【００２６】
また、図３（ｄ）および図６に示すように、手摺取付部２３の手摺取付面２４には凹部２５が設けられ、この凹部２５に両面粘着テープ１０５（仮固定手段）を貼着し、手摺１０１を仮固定できるように構成されている。なお、前記仮固定手段としては、両面粘着テープの他、例えば凹部２５内に塗布された粘着剤、接着剤等を使用してもよい。
【００２７】
次に、前記したブラケット２０を用いて手摺１０１を壁面１００に取り付ける方法を説明する。
＜通常施工の場合＞
壁面１００には予め墨出しラインが付されており、このラインに沿って、まず、図８（ａ）に示すように、ピン１０を凹部３０に嵌入したブラケット２０を壁面１００に押し付けると（矢印Ｂ方向）、ピン１０が壁面１００に突き刺さり、ブラケット２０が壁面１００に仮固定される（図２（ａ）参照）。
【００２８】
ついで、図８（ｂ）に示すように、取付座２１のネジ挿通孔２１ａ，・・・，２１ｄに壁面固定ネジ１０２，・・・，１０２を挿通して壁面１００に螺入させることによって、ブラケット２０が壁面１００にネジ止め固定される。このとき、ブラケット２０はピン１０によって安定かつ確実に壁面１００に仮固定されているので、安定した状態でブラケット２０を壁面１００に固定することができる。
【００２９】
そして、手摺取付部２３に前記した手摺１０１をネジ挿通孔２３ａ，２３ｂを利用してネジで取り付け、カバー（不図示）を取付座２１に取り付けて、手摺ブラケット２０の取り付けを完了する。
【００３０】
＜着脱施工の場合＞
壁面１００に壁紙を貼りつけるためにブラケット２０を着脱する場合には、以下のようにしてブラケット２０の仮固定および取り付けを行うことができる。すなわち、まず、図９（ａ）に示すように、前記と同様にしてブラケット２０を壁面１００の取付位置に仮固定した後、取付座２１のネジ挿通孔２１ａ〜２１ｄのうち、少なくとも１つに壁面固定ネジ１０２を挿通して壁面１００に螺入させて、ブラケット２０を壁面１００に仮固定する。さらに、手摺取付部２３に手摺１０１をネジ挿通孔２３ａ，２３ｂを利用してネジで取り付ける。
【００３１】
ついで、ブラケット２０を仮固定している壁面固定ネジ１０２を取り外した後、図９（ｂ）に示すように、手摺１０１を取付けたブラケット２０を手前方向（矢印Ｃ方向）に抜き出すようにして壁面１００から取り外す。このとき、壁面１００に保持部材３（ピン１０）が残る。
【００３２】
ついで、壁面１００に壁紙を貼りつけた後、壁紙の一部をカットして保持部材３を壁紙から露出させる。この露出した保持部材３を目印にして、再びブラケット２０を壁面１００に当接させ、取付座２０底面の凹部３０内に保持部材３を収容すると、ブラケット２０が壁面１００に仮固定される。そして、取付座２１のネジ挿通孔２１ａ，・・・，２１ｄに壁面固定ネジ１０２，・・・，１０２を挿通して壁面１００に螺入させることによって、ブラケット２０が壁面１００に固定される。最後に、カバーを取付座２１に取り付けて、手摺ブラケット２０の取り付けを完了する。
【００３３】
次に、本発明の手摺ブラケット収納容器の一実施形態について、図面を参照して詳細に説明する。図１０は、本実施形態にかかる手摺ブラケット収納容器の周面を展開した状態を示す図である。図１１は、本実施形態にかかる手摺ブラケット収納容器の使用形態を示す概略説明図である。
【００３４】
図１０，図１１に示すように、本実施形態にかかる手摺ブラケット収納容器５０は、前記した１つの手摺ブラケット２０と、これに付随する壁面固定ネジ１０２および手摺固定ネジを含む付属部品とを収容するものである。そして、この収容容器５０の一端には、ブラケット２０のアーム部２２に掛止するためのフック部５１が形成されている。このような収容容器５０を用いると、ブラケット２０を仮固定している間は使用しない他の固定ネジ１０２，・・・や、手摺固定ネジ、カバー等の付属部品を収納容器５０に収納し、フック部５１をブラケット２０のアーム部２２に掛止させた状態で前記部品を保管して、該部品が紛失するのを防ぐことができる。
【００３５】
以上、本発明の好ましい実施形態を説明したが、本発明は以上の実施形態に限定されるものではなく、特許請求の範囲に記載した範囲内において種々の改善や変更が可能である。例えば、前記した実施形態では、ピン１０および保持部材３が一体に形成されている場合について説明したが、図１２に示すように、ピン６０と、保持部材６１とが分離できるように構成されていてもよい。このような構成であっても、保持部材６１をブラケット８０の凹部８１に収容し、ピン６０を凹部８１に嵌入した状態にすれば、前記した実施形態にかかるブラケット２０と同様の効果を奏することができる。
【００３６】
また、前記した実施形態では、ピン１ａ，１ｂが一つの保持部材３にて保持されているが、図１３に示すように、ピン６２ａ，６２ｂが、それぞれ保持部材６３ａ，６３ｂに分離可能に保持されていてもよい。この場合には、ブラケット８２の取付座の底部に、保持部材６３ａ，６３ｂに対応した凹部８３ａ，８３ｂをそれぞれ設ければよい。
【００３７】
図１４に示すように、ピンを保持部材に保持することなくピン自体を取付座の底部に設けた凹部に嵌入させてもよい。この場合には、それぞれ長さが異なるピン６４ａ，６４ｂ，６４ｃを用いるのがよく、ブラケット８４の取付座の底部には、ピン６４ａ，６４ｂ，６４ｃに対応した凹部８５ａ，８５ｂ，８５ｃを設ければよい。なお、本発明にかかるピンの数は、少なくとも１本であればよく、これによりブラケットを壁面に簡単に仮固定することができるという効果を達成することができる。
【００３８】
図１５（ａ）に示すように、ピン６５を保持部材６６にて一体に保持し、該保持部材６６の凹部８７に嵌入する先端６７にネジ孔開口部を有するネジ孔６８を設け、さらにブラケット８６に、凹部８７に連通するネジ挿通孔８８を設けてもよい。このように構成すると、図１５（ｂ）に示すように、保持部材６６をブラケット８６の凹部８７に収容した後、固定ネジ６９をネジ挿通孔８８に挿通し、該固定ネジ６９の先端側をネジ孔６８に螺合して、保持部材６６を凹部８７に固定することができる。
【００３９】
図１６（ａ）に示すように、ピン７０を保持部材７１にて一体に保持し、該保持部材７１の凹部９１に嵌入する先端７２に、保持部材７１を貫通するネジ挿通孔７３を設け、さらにブラケット９０に、凹部９１に連通するネジ挿通孔９２を設けてもよい。このように構成すると、図１６（ｂ）に示すように、保持部材７１をブラケット９０の凹部９１に収容した後、固定ネジ７４をネジ挿通孔９２，ネジ挿通孔７３にそれぞれ挿通し、該固定ネジ７４の先端側を壁面に螺入させてブラケット９０を固定することができる。
【００４０】
また、前記した実施形態では、取付座底面の凹部内に先尖り部材の後部が着脱自在に嵌入される場合について説明したが、ピン等の先尖り部材が取付座底面に固定され、取付座底面から突設されていてもよい。先尖り部材としては、ピンに限定されるものではなく、例えば刃状部材等であってもよい。また、ピンを使用する場合、ピンの数は２本に限定されるものではなく、１本のみでもよく、あるいは３本以上の複数本であってもよい。その他は、前記した実施形態と同じである。
【図面の簡単な説明】
【００４１】
【図１】本発明の一実施形態にかかる手摺ブラケットを示す概略説明図である。
【図２】（ａ）は、本発明の一実施形態にかかる手摺ブラケットの仮固定状態を示す側面図であり、（ｂ）は、本発明の一実施形態にかかる手摺ブラケットを示す背面図である。
【図３】（ａ）〜（ｄ）は、それぞれ本発明の一実施形態にかかる手摺ブラケットを示す側面図、正面図、背面図および平面図である。
【図４】本発明の一実施形態にかかる手摺ブラケットを示す縦断面図である。
【図５】図３（ａ）のI−I線断面図である。
【図６】本発明の一実施形態にかかる手摺を仮固定するための仮固定手段を示す概略説明図である。
【図７】（ａ）〜（ｅ）は、それぞれ本発明の一実施形態にかかるピンを示す側面図、正面図、背面図、平面図および斜視図である。
【図８】（ａ），（ｂ）は、本発明の一実施形態にかかる手摺ブラケットの通常施工を示す概略図である。
【図９】（ａ），（ｂ）は、本発明の一実施形態にかかる手摺ブラケットの着脱施工を示す概略図である。
【図１０】本発明の一実施形態にかかる手摺ブラケット収納容器の周面を展開した状態を示す図である。
【図１１】本発明の一実施形態にかかる手摺ブラケット収納容器の使用形態を示す概略説明図である。
【図１２】本発明で使用することができる手摺ブラケットの他の実施形態を示す概略説明図である。
【図１３】本発明で使用することができる手摺ブラケットのさらに他の実施形態を示す概略説明図である。
【図１４】本発明で使用することができる手摺ブラケットのさらに他の実施形態を示す概略説明図である。
【図１５】（ａ），（ｂ）は、本発明で使用することができる手摺ブラケットのさらに他の実施形態を示す概略説明図である。
【図１６】（ａ），（ｂ）は、本発明で使用することができる手摺ブラケットのさらに他の実施形態を示す概略説明図である。
【符号の説明】
【００４２】
３  保持部材
４  溝部
１０  ピン
２０  手摺ブラケット
２１  取付座
２１ａ，２１ｂ，２１ｃ，２１ｄ，２３ａ，２３ｂ  ネジ挿通孔
２２  アーム部
２３  手摺取付部
２４  手摺取付面
３０  凹部
３１  突条
５０  手摺ブラケット収納容器
５１  フック部
１００  壁面
１００ａ  石膏ボード
１００ｂ  合板
１０１  手摺
１０２  壁面固定ネジ
【図１】
2008291609.tif 000003
【図２】
2008291609.tif 000004
【図３】
2008291609.tif 000005
【図４】
2008291609.tif 000006
【図５】
2008291609.tif 000007
【図６】
2008291609.tif 000008
【図７】
2008291609.tif 000009
【図８】
2008291609.tif 000010
【図９】
2008291609.tif 000011
【図１０】
2008291609.tif 000012
【図１１】
2008291609.tif 000013
【図１２】
2008291609.tif 000014
【図１３】
2008291609.tif 000015
【図１４】
2008291609.tif 000016
【図１５】
2008291609.tif 000017
【図１６】
2008291609.tif 000018